(57)【要約】【課題】  データの送受信中に、圏外へ移行した等の理由によりデータ通信が終了した場合でも、従来ある通信シーケンスの変更を行うことなく、再接続におけるデータの送受信の即時性を確保する。【解決手段】  携帯電話機１００と無線基地局２００との間で行われるデータ通信が所定の理由により終了し、前記所定理由が解消された後に前記データ通信を開始するときの再接続方法において、前記データ通信にて携帯電話機１００が無線基地局２００よりページング信号を受信することにより、受信したデータの着信の有無を判定する着信有無判定工程と、携帯電話機１００が無線基地局２００より切断要求に係る信号を受信することにより前記理由の妥当性を判定する終了理由判定工程を有する。【選択図】  図４
2006217315.tif 000002
【特許請求の範囲】
【請求項１】
端末と基地局との間で行われるデータ通信が所定の理由により終了し、前記所定理由が解消された後に前記データ通信を開始するときの再接続方法において、
前記データ通信にて前記端末が前記基地局より第１の信号を受信することにより、受信したデータの着信の有無を判定する着信有無判定工程と、
前記端末が前記基地局より第２の信号を受信することにより前記理由の妥当性を判定する終了理由判定工程を有することを特徴とする再接続方法。
【請求項２】
前記終了理由判定工程にて、前記端末が前記第２の信号を受信した場合には、前記理由が正常なものと判定し、当該理由が解消された後でも前記データ通信を開始しないことを特徴とし、
前記第１の信号、前記第２の信号を消去する消去工程を有することを特徴とする請求項１に記載の再接続方法。
【請求項３】
前記終了理由判定工程にて、前記端末が前記第２の信号を受信しない場合には、前記理由が異常なものと判定し、当該理由が解消された後に前記データ通信を開始することを特徴とし、
過去の通信ログに基づいて前記データ通信にて使用するチャネルを選択するチャネル選択工程を有することを特徴とする請求項１に記載の再接続方法。
【請求項４】
前記理由は、前記データ通信の圏外に移行したことであることを特徴とする請求項３に記載の再接続方法。
【請求項５】
端末と基地局との間で行われるデータ通信が所定の理由により終了し、前記所定理由が解消された後に前記データ通信を開始するときの再接続方法をコンピュータに実行させるプログラムにおいて、
前記データ通信にて前記端末が前記基地局より第１の信号を受信することにより、受信したデータの着信の有無を判定する着信有無判定処理と、
前記端末が前記基地局より第２の信号を受信することにより前記理由の妥当性を判定する終了理由判定処理を実行させることを特徴とするプログラム。
【請求項６】
前記終了理由判定処理にて、前記端末が前記第２の信号を受信した場合には、前記理由が正常なものと判定し、当該理由が解消された後でも前記データ通信の開始を実行させることなく、
前記第１の信号、前記第２の信号を消去する消去処理を実行させることを特徴とする請求項５に記載のプログラム。
【請求項７】
前記終了理由判定処理にて、前記端末が前記第２の信号を受信しない場合には、前記理由が異常なものと判定し、当該理由が解消された後に前記データ通信の開始を実行させ、
過去の通信ログに基づいて前記データ通信にて使用するチャネルを選択するチャネル選択処理を実行させることを特徴とする請求項５に記載のプログラム。
【請求項８】
請求項５から７の何れかのプログラムを記録する記録媒体。
【請求項９】
請求項１から４のいずれかの再接続方法を実行する請求項１から４の何れかの端末としての携帯電話機。
【発明の詳細な説明】
【技術分野】
【０００１】
本発明は、再接続方法、プログラム、記録媒体、携帯電話機に関するものであり、特に、データ通信における再接続方法などに関するものである。
【背景技術】
【０００２】
携帯電話機を利用してメールを着信する際に、「無線基地局より受信する電波が弱電界である」、「圏外へ移行する」などといった理由により通信が終了し、メールの着信に失敗するケースがある。その場合に当該メールの着信を行うには、携帯電話機の利用者がメールメニューの「問い合わせ」コマンド等を用いてメールサーバーに確認するといった操作を必要とする。つまり、データ通信の終了後において、上記理由を解消した上でデータ通信の再接続を行わなければならなかった。
【０００３】
しかし、上記理由から再接続行う場合のデータ通信は、単に接続してデータ通信を行う場合に比べると、上記理由を解消するためにより多くの時間を必要とする可能性が高い。つまり、再接続におけるデータの送受信の即時性が失われている。また、データ通信において使用されていたチャネルはデータ通信の終了前と終了後において異なったものである可能性が高い。終了後に再接続するときに使用するチャネルが上記理由を引き起こし易いものであれば、良好なデータの送受信を行うことができない。したがって、即時性を確保するためには使用すべきチャネルを吟味する必要がある。
【０００４】
一方、再接続におけるデータの送受信の即時性を確保するためには、従来の通信シーケンスに基づくデータ通信を行うほうが良い。再接続するために新たな通信シーケンスを採用すると、携帯電話機だけでなく、無線基地局においても相応の改良技術を施す必要があり、再接続を行うための技術としてはコストがかかりすぎるからである。
【０００５】
特許文献１は、データ通信中に回線が切断されても、自動的に再接続し送信済みの次のデータからデータ送信を再開する技術について開示している。しかし、その再接続に伴い、通信する信号に新たな信号内容（再接続要求制御コマンド、再接続応答制御コマンド、プロフィール変更応答コマンドなど）を必要とし、新たな通信シーケンスを採用しているため、無線基地局側においても相応の対応が必要であり、コストの増大に繋がってしまう。
【特許文献１】特開平１１−２７５１１０号公報
【発明の開示】
【発明が解決しようとする課題】
【０００６】
上記事情を鑑みて、本発明が解決しようとする課題は、データの送受信中に、圏外へ移行した等の理由によりデータ通信が終了した場合でも、従来ある通信シーケンスの変更を行うことなく、再接続におけるデータの送受信の即時性を確保することにある。
【課題を解決するための手段】
【０００７】
上記課題を解決する本発明の態様は、端末と基地局との間で行われるデータ通信が所定の理由により終了し、前記所定理由が解消された後に前記データ通信を開始するときの再接続方法において、前記データ通信にて前記端末が前記基地局より第１の信号を受信することにより、受信したデータの着信の有無を判定する着信有無判定工程と、前記端末が前記基地局より第２の信号を受信することにより前記理由の妥当性を判定する終了理由判定工程を有するものである。
【０００８】
前記終了理由判定工程にて、前記端末が前記第２の信号を受信した場合には、前記理由が正常なものと判定し、当該理由が解消された後でも前記データ通信を開始しないことを特徴とし、前記第１の信号、前記第２の信号を消去する消去工程を有することを特徴とする。一方、前記終了理由判定工程にて、前記端末が前記第２の信号を受信しない場合には、前記理由が異常なものと判定し、当該理由が解消された後に前記データ通信を開始することを特徴とし、過去の通信ログに基づいて前記データ通信にて使用するチャネルを選択するチャネル選択工程を有することを特徴とする。
【０００９】
前記理由には、例えば、前記データ通信の圏外に移行したことといったものがある。
【００１０】
上記課題を解決する本発明の他の態様は、端末と基地局との間で行われるデータ通信が所定の理由により終了し、前記所定理由が解消された後に前記データ通信を開始するときの再接続方法をコンピュータに実行させるプログラムにおいて、前記データ通信にて前記端末が前記基地局より第１の信号を受信することにより、受信したデータの着信の有無を判定する着信有無判定処理と、前記端末が前記基地局より第２の信号を受信することにより前記理由の妥当性を判定する終了理由判定処理を実行させるものである。
【００１１】
前記終了理由判定処理にて、前記端末が前記第２の信号を受信した場合には、前記理由が正常なものと判定し、当該理由が解消された後でも前記データ通信の開始を実行させることなく、前記第１の信号、前記第２の信号を消去する消去処理を実行させることを特徴とする。一方、前記終了理由判定処理にて、前記端末が前記第２の信号を受信しない場合には、前記理由が異常なものと判定し、当該理由が解消された後に前記データ通信の開始を実行させ、過去の通信ログに基づいて前記データ通信にて使用するチャネルを選択するチャネル選択処理を実行させることを特徴とする。
【００１２】
また、上記課題を解決する本発明の他の態様は、前記プログラムを記録する記録媒体に関するものである。
【００１３】
また、上記課題を解決する本発明の他の態様は、再接続方法を実行する端末としての携帯電話機に関するものである。
【発明の効果】
【００１４】
本発明の再接続方法などを実施すれば、データの送受信中に、圏外へ移行した等の理由によりデータ通信が終了した場合でも、従来ある通信シーケンスの変更を行うことなく、再接続におけるデータの送受信の即時性を確保することができる。
【発明を実施するための最良の形態】
【００１５】
以下、本発明の再接続方法などを実施するための最良の形態を説明する。説明する際には、本明細書と同時に提出する図面を適宜参照することにする。なお、最良の形態として、携帯電話機が行うメールの着信について説明する。
【００１６】
図１は本形態の携帯電話機１００の構成を表すブロック図である。携帯電話機１００はＣＰＵ(Central Processing Unit)１０１、ＲＯＭ(Read Only Memory)１０２、アンテナ１０３、無線部１０４、操作部１０５、表示部１０６、着信有無記憶部１０７、メール情報記憶部１０８、止まり木チャネル記憶部１０９、切断信号記憶部１１０を有して構成されている。
【００１７】
ＣＰＵ１０１は携帯電話機１００を構成する各部品の動作処理を制御する、いわば中央処理制御の機能を有する部品である。
【００１８】
ＲＯＭ１０２はＣＰＵ１０１に所定の処理を実行させるためのプログラムを格納した記録媒体である。ＣＰＵ１０１はＲＯＭ１０２より所定の制御を行うために必要なプログラムを読み出す。本形態で説明する再接続方法に関するプログラムも格納している。
【００１９】
アンテナ１０３は無線基地局（図３、４の無線基地局２００をいう。以下同じ。）より所定の電波を受信することにより同期確立を行い、当該無線基地局とデータの送受信を行う部品である。
【００２０】
無線部１０４はアンテナ１０３を介して無線基地局との間で通信に関する種々情報を変復調して送受信する機能を有する。当該変復調に必要なデータをＣＰＵ１０１より受け取る。
【００２１】
操作部１０５は携帯電話機１００の利用者の入力を受け付けるボタンを有している。数字を入力するボタン、文字を入力するボタン、オンフックなど特定の処理を実行させるためのボタンなどがある。
【００２２】
表示部１０６は携帯電話機１００の利用者に所定の画面を表示する部品である。利用者が操作部１０５より入力した内容、無線基地局より受信したメールの内容などを画面表示する。
【００２３】
着信有無記憶部１０７は最新のメール情報の着信の有無を記憶しておく、つまり、ページングの有無を記憶しておく記憶素子である。無線部１０４を介して受信したページング信号（ページングに係る信号をいう。）を記憶しておく。データ通信の終了後の再接続において、受信すべきメール情報に係るページングがあることが前提となる。
【００２４】
メール情報記憶部１０８は受信したメール情報を格納する記憶素子である。メール情報の受信が正常に終了した場合は、その受信データを記憶し、ＣＰＵ１０１を介して表示部１０６にその受信データを表示する。受信が異常に終了した場合は、終了前までのデータを破棄する。
【００２５】
止まり木チャネル記憶部１０９は過去の待ち受けチャネルデータを元に、待ち受けチャネルの周辺検索を行うための止まり木チャネルのデータを記憶する記憶素子である。また、過去の圏内／圏外移行に対する通信ログも記憶しておく機能も有する。それは、どの止まり木チャネルが、圏外移行してしまい易いかを判定するためである。
【００２６】
切断信号記憶部１１０はデータ通信終了理由に係るデータをデータ通信の終了を意味する信号として記憶しておく記憶素子である。「データ通信終了理由」とは、携帯電話機１００と無線基地局とのデータ通信が終了するための理由である。データ通信終了理由にはデータの送受信を完了し、無線基地局より切断要求信号を受信したために終了する正常な理由もあるが、たとえば、「弱電界で無線基地局との同期が外れたため」、「携帯電話機１００が圏外に移行した」等といった事情から終了する異常な理由もある。「切断要求信号」とは、無線基地局側から携帯電話機１００に送信する信号であって、データの送受信が完了することによりデータ通信を終了することを意味する信号である。
【００２７】
以上の構成を有することにより、ＣＰＵ１０１は各部に対し再接続のために必要な処理を制御する。例えば、無線部１０４を介してページングを受信した後、着信有無記憶部１０７にページング受信があったことを記憶させる。データ通信のための無線回路を確立するため、無線部１０４より各種の信号を送受信する。データ通信の終了に伴い切断信号記憶部１１０にデータ通信終了理由に係るデータを記憶させる。データ通信が正常に完了すれば、表示部１０６より利用者にその旨通知する。データ通信が異常に完了すれば、データ受信が可能な圏内においては自動的に再接続を行い、残りのデータを受信する。
【００２８】
自動的に再接続を行う条件としては、例えば、圏内復帰チャネル（携帯電話機１００が圏内に復帰したときに使用するチャネルをいう。以下同じ。）がとまり木チャネル記憶部１０９に記憶されているとまり木チャネルの過去の通信ログにおいて、すぐに圏外になった経歴が無いチャネルであることである。もし、圏内復帰したチャネルがとまり木チャネル記憶部１０９に記憶されていないとまり木チャネルであった場合は、自動的に再接続を行い、データ受信を開始する。一方、圏外もしくは圏外移行しそうな受信チャネルであれば、上記の安定した圏内復帰したチャネルに移行した後に本動作を行う。
【００２９】
なお、受信したメール情報は随時、メール情報記憶部１０８に格納するが、データ通信が異常に完了した場合は受信したメール情報を破棄する。また、切断信号記憶部１１０、着信有無記憶部１０７が記憶している情報はデータ受信が正常に完了した時点で消去する。消去せずに当該情報を残しておくと、別の機会にデータ通信を行ったときに既に正常に受信したメール情報を再度受信することになってしまうからである。
【００３０】
次に、本形態の携帯電話機１００の再接続方法を実施するときの動作を説明する。図２に再接続方法にかかるフローチャートを示す。図２を参照しつつ説明する。
【００３１】
まず、携帯電話機１００は無線基地局よりページングを受信する（Ｓ２０１）。着信有無記憶部１０７はページングの着信があったことを記憶する（Ｓ２０２）。ページングを受信した携帯電話機１００は、無線基地局と通信確立を行い（Ｓ２０３）、データ通信（受信）を開始する（Ｓ２０４）。
【００３２】
受信するデータは随時、メール情報記憶部１０８に記憶していく（Ｓ２０５）。その後、通信が終了した（Ｓ２０６）場合、切断信号記憶部１１０にデータ通信終了理由に係るデータを記憶する（Ｓ２０７）。
【００３３】
切断信号記憶部１１０に記憶されるデータ通信終了理由に係るデータが切断要求信号を無線基地局より受信したことに係るデータであった場合は（Ｓ２０８でＹＥＳ）、データ受信が正常に終了したものとみなし、着信有無記憶部１０７および切断信号記憶部１１０に記憶されているデータを消去する（Ｓ２１２）。そして、表示部１０６に所定の画面を表示することにより利用者にデータ受信（メール受信等）を通知し（Ｓ２１３）、一連の動作を終了する。
【００３４】
一方、切断信号記憶部１１０に記憶されるデータ通信終了理由に係るデータが切断要求信号を無線基地局より受信したこと以外のこと（この場合は、携帯電話機１００が圏外に移行したことをとする。）に係るデータであった場合は（Ｓ２０８でＮＯ）、データ受信が異常に終了したものとみなし、メール情報記憶部１０８に保存していた受信中のデータを破棄する（Ｓ２０９）。
【００３５】
その後、携帯電話機１００が圏内に復帰し、再接続を行うために無線基地局に対し位置登録要求に係る信号を送信する。（Ｓ２１０）。「位置登録要求」とは携帯電話機１００が現在ある位置を無線基地局に通知し登録させるための要求である。ここで、圏内に復帰したときに、圏内復帰チャネルが、止まり木チャネル記憶部１０９の過去の通信ログにおいて、すぐに圏外になった経歴が無いチャネルであった場合、又は、止まり木チャネル記憶部１０９に記憶されていない待ち受けチャネルであった場合（Ｓ２１１でＮＯ）、再度、Ｓ２０４以降の動作を繰り返し、データの正常受信完了まで同じ動作を繰り返す。一方、圏内復帰チャネルが、止まり木チャネル記憶部１０９の過去の通信ログにおいて、圏外になりやすい待ち受けチャネルであった場合は（Ｓ２１１でＹＥＳ）、すぐに、再接続によるデータ受信を行わず、Ｓ２１０の圏内復帰を待つ。つまり、圏外にならない待ち受けチャネルで待ち受ける。なお、本形態では現状の通信シーケンスを利用するため、再接続後に受信するデータは、受信途中のデータではなく、最初から全てのデータを受信する。
【００３６】
ここで、本形態で取り扱う通信シーケンスについて説明する。図３、４には携帯電話機１００と無線基地局２００とのデータ通信を行う様子を表したシーケンスチャートである。まず、図３にて、正常にデータ受信が完了する場合を説明する。
【００３７】
携帯電話機１００に送信するデータが存在する無線基地局２００は、携帯電話機１００と通信確立を行うため、まずページングを送信する（Ｓ３０１）。ページングを受信した携帯電話機１００と無線基地局２００は、各種信号のやり取りを行い、通信確立する。なお、このやり取りは本形態に関係しないため説明を省略する。
【００３８】
携帯電話機１００と通信確立した無線基地局２００は、データの送信を開始する（Ｓ３０２）。なお、図３および図４の説明では、例として、無線基地局２００から携帯電話機１００に送信すべきデータは「データ（１）〜（４）」の４つとしてある。
【００３９】
Ｓ３０２にてデータ（１）を受信した携帯電話機１００は、Ｓ３０３にて、受信した旨を無線基地局２００へ送信する。それにより、データ（１）が正常に携帯電話機１００に受信されたことが判明した無線基地局２００はデータ（２）を送信する（Ｓ３０４）。このように、Ｓ３０２〜Ｓ３０９にて、送信すべきデータ（１）〜（４）を送信完了した無線基地局２００は、携帯電話機１００との間で確立している通信を終了するため、切断要求信号を携帯電話機１００に送信する（Ｓ３１０）。ここで、切断信号記憶部１１０は、切断信号を受信したため、正常にデータ受信が完了したとみなし、ＣＰＵ１０１は利用者にデータ（メール等）の受信通知を許可する。
【００４０】
一方、図４にて、データ通信の異常終了時の通信シーケンスの説明を行う。Ｓ４０１からＳ４０５は図３におけるＳ３０１からＳ３０５までの動作と同様であるので、その説明を省略する。
【００４１】
無線基地局２００はデータ（３）を送信するが、このとき携帯電話機１００は圏外であり、受信できない（Ｓ４０６）。無線基地局２００との同期の外れた携帯電話機１００は切断要求信号を無線基地局２００より受信していないため、切断信号記憶部１１０には同期外れのため通信終了といった旨に係るデータ記憶し、ＣＰＵ１０１は以下のように圏内復帰後に再度データ通信を行う。
【００４２】
圏内復帰後、携帯電話機１００は位置登録要求を無線基地局２００に送信し、再度通信可能状態へ戻る（Ｓ４０７）。なお、その間の通信は、本形態に関係しないため、その説明を省略する。通信可能状態となった携帯電話機１００は自動的に未送信データがないか無線基地局２００に確認を行う（Ｓ４０８）。データ送信完了となるべきデータ（３）、（４）の受信確認を受信していない無線基地局２００は、再度データ（１）から送信する（Ｓ４０９〜Ｓ４１６）。無線基地局２００が切断要求信号を携帯電話機１００に送信して、通信を終了する点は、図３のＳ３１０と同様である（Ｓ４１７）。
【００４３】
以上の手順を踏むことにより、本形態の再接続方法は以下の効果を奏する。まず、携帯電話機１００が着信有無記憶部１０７および切断信号記憶部１１０を具備しているので、着信後のデータ受信が異常終了したことを検知することが可能である。これにより、自動的に無線基地局２００へ残データを問い合わせ、データ再受信を行い得て、即時性を確保する。また、止まり木チャネル記憶部１０９を具備しているので、圏内復帰時にデータ再受信を行ったときに、なるべく再終了しないチャネルでデータ再受信を行うようにし、即時性を確保する。
【００４４】
一方、通信シーケンスは図３、４に示したように現状どおりであるため、無線基地局２００側に相応の改良技術を施す必要も無く、コストを抑えることができる。
【００４５】
なお、上述した形態は本発明を実施するための最良のものであるが、これに限定する主旨ではない。従って、本発明の要旨を変更しない範囲において種々変形することが可能である。
【００４６】
上記変形を行った形態の一つを、図５を参照しつつ説明する。図５はその変形した形態の携帯電話機１００の構成を表すブロック図である。
【００４７】
図１との差異は、図１における着信有無記憶部１０７と切断信号記憶部１１０の代替として、同期判定部１１１を用いている点である。最良の形態では、着信があった場合に切断要求信号を受信しない限り、正常にデータ受信が完了したと見なされず、それ以外の場合は自動的に無線基地局２００と再度通信を開始することを説明した。
【００４８】
しかし、この形態の構成によれば、データ通信中に同期判定部１１１が無線基地局２００と通信同期がとれているか否かの判定を行う。同期がとれなくなったと判定した場合は、通信が異常終了したとみなし、ＣＰＵ１０１に通知する。ＣＰＵ１０１は自動的に無線基地局２００と再接続を行い、再度データ通信を開始するものである。かかる構成であっても現状の通信シーケンスを用い、即時性を確保することができる。
【図面の簡単な説明】
【００４９】
【図１】本形態の携帯電話機１００の構成を表すブロック図である。
【図２】再接続方法にかかるフローチャートである。
【図３】携帯電話機１００と無線基地局２００とのデータ通信を行う様子を表したシーケンスチャートであって、正常にデータ受信が完了する場合のものである。
【図４】携帯電話機１００と無線基地局２００とのデータ通信を行う様子を表したシーケンスチャートであって、異常にデータ受信が完了する場合のものである。
【図５】他の形態の携帯電話機１００の構成を表すブロック図である。
【符号の説明】
【００５０】
１００    携帯電話機
１０１    ＣＰＵ
１０２    ＲＯＭ
１０３    アンテナ
１０４    無線部
１０５    操作部
１０６    表示部
１０７    着信有無記憶部
１０８    メール情報記憶部
１０９    止まり木チャネル記憶部
１１０    切断信号機億部
１１１    同期判定部
【図１】
2006217315.tif 000003
【図２】
2006217315.tif 000004
【図３】
2006217315.tif 000005
【図４】
2006217315.tif 000006
【図５】
2006217315.tif 000007